(57)【要約】【課題】  商品等の収容可能な箱体に組み立てることができ、組み立てられた箱体を容易に再展開することができ、再展開されて得られた展開板から再生箱体を組み立てることができ、リサイクル事業に活用可能な箱体にすることのできる箱体用展開板を提供すること。【解決手段】  一方向に配列されるとともに隣接するパネル間に存在する折り線を折り曲げることにより筒体に形成することのできる４枚のパネルと、  前記４枚のパネルの間に介在し、又は端にあるパネルの配列方向端部に折り線を介して延在するヘッダー形成用の第１ヘッダー部及び第２ヘッダー部と、  前記筒体を形成した場合に一端のパネルと重なり合うように形成された筒体形成用重ね代部と、  前記筒体の両端開口のそれぞれを閉鎖する第５パネル及び第６パネルと、  前記６枚のパネルで形成された箱体を展開しないように接着する筒体形成用接着層と、  前記箱体を展開可能にする切り離し部と、  前記箱体を展開して得られる再生箱体用展開板を組み立てて再生用箱体に形成可能にする再生箱体用接着剤層とを備えて成ることを特徴とする箱体用展開板及び箱体。【選択図】  図５
2005297972.tif 000002
【特許請求の範囲】
【請求項１】
一方向に配列されるとともに隣接するパネル間に存在する折り線を折り曲げることにより筒体に形成することのできる第１パネル、第２パネル、第３パネル及び第４パネルと、
前記第１パネル〜第４パネルの間に介在し、又は第４パネルの配列方向端部に折り線を介して延在するヘッダー形成用の第１ヘッダー部及び第２ヘッダー部と、
前記筒体を形成した場合に第１パネルと重なり合うように形成された筒体形成用重ね代部と、
前記第１パネル〜４パネルの配列方向に直交する方向に延在し、前記筒体の両端開口のそれぞれを閉鎖する第５パネル及び第６パネルと、
前記筒体形成用重ね代部を前記第１パネルに重ね合わせて成る筒体の両端開口それぞれを第５パネル及び第６パネルそれぞれで各別に閉鎖してなる箱体を形成可能に接着する筒体形成用接着層と、
前記箱体を展開可能にする切り離し部と、
前記切り離し部を切り離すことにより展開されて成る再生箱体用展開板を組み立てて再生用箱体に形成可能にする再生箱体用接着剤層とを備えて成ることを特徴とする箱体用展開板。
【請求項２】
前記切り離し部が、前記筒体形成用重ね代部の前記配列方向における中間部であって前記配列方向に直交する方向において一端部から他端部まで形成されて成る筒体形成用重ね代切り離し部を含み、
前記箱体形成用接着剤層が、前記筒体形成用重ね代切り離し部と筒体形成用重ね代部の縁辺部との間に形成されて成る筒体形成重ね代部接着剤層を含み、
前記再生箱体形成用接着剤層が、前記第１〜４パネル及び前記筒体形成用重ね代切り離し部により形成された筒体形成用重ね代残片を裏返して折曲することにより裏返り筒体を形成することができる裏返り筒体形成用接着剤層を含むことを特徴とする前記請求項１に記載の箱体用展開板。
【請求項３】
前記第１パネルは、前記第１〜４パネルの配列方向に直交する方向に向かう、第１パネルの両端それぞれに折曲可能に延在形成された第１フラップ及び第４フラップを備え、
前記第２パネルは、前記配列方向に直交する方向に向かう、第２パネルの両端それぞれに折曲可能に延在形成された第２フラップ及び第５フラップを備え、
前記３パネルは、前記配列方向に直交する方向に向かう、第３パネルの両端それぞれに折曲可能に延在形成された第３フラップ及び第６フラップを備え、
前記箱体形成用接着剤層が、
前記筒体の一方の開口を覆蓋するように、第５パネル、第１フラップ及び第３フラップ、並びに第２フラップを重ねた場合に、最外部となる第２フラップとその下側に位置する第１フラップ及び第３フラップ、又は第５パネルとの一部を接着する第２フラップ接着層と、前記筒体の他方の開口を第６パネル、第４フラップ及び第６フラップ、並びに第５フラップを重ねた場合に、最外部となる第５フラップとその下側に位置する第４フラップ及び第６フラップ、又は第６パネルとの一部を接着する第５フラップ接着層とを含み、
前記切り離し部が、
第２フラップを第２フラップ接着層により接着された接着部位と第２フラップ接着層により接着されていない第２フラップ残片とに切り離す第２フラップ切り離し部と、
第５フラップを第５フラップ接着層により接着された接着部位と第５フラップ接着層により接着されていない第５フラップ残片とに切り離す第５フラップ切り離し部とを含み、
前記再生箱体用接着剤が、
前記裏返り筒体の一方の開口を覆蓋するように、第５パネル、第１フラップ及び第３フラップ、及び第２フラップ残片を重ねた場合に、最外部となる第５パネルの表側の面とその下側に位置する第２フラップ残片の裏側の面とを接着する第５パネル接着剤層、または最外部となる第２フラップ残片の表側の面とその下側に位置する第５パネルの表側の面とを接着する第２フラップ残片接着剤層と、
前記裏返り筒体の他方の開口を覆蓋するように、第６パネル、第４フラップ及び第６フラップ、及び第５フラップ残片を重ねた場合に、最外部となる第６パネルの表側の面とその下側に位置する第５フラップ残片の裏側の面とを接着する第６パネル接着剤層、または最外部となる第５フラップ残片の表側の面とその下側に位置する第６パネルの表側の面とを接着する第５フラップ残片接着剤層とを含むことを特徴とする前記請求項１又は２に記載の箱体用展開板。
【請求項４】
前記第１パネルは、前記第１〜４パネルの配列方向に直交する方向に向かう、第１パネルの両端それぞれに折曲可能に延在形成された第１フラップ及び第４フラップを備え、
前記第２パネルは、第２フラップ及び第５フラップを備え、前記第２フラップ及び第５フラップは、前記配列方向に直交する方向に向かう、第２パネルの両端それぞれに折曲可能に延在形成され、第２フラップ及び第５フラップの少なくともいずれかが前記筒体の開口を覆蓋する平面を有するとともに第４パネルの表側の面に重なる第４パネル重ね代部を有し、
前記３パネルは、前記配列方向に直交する方向に向かう、第３パネルの両端それぞれに折曲可能に延在形成された第３フラップ及び第６フラップを備え、
前記箱体形成用接着剤層が、
前記筒体の一方の開口を覆蓋するように、第５パネル、第１フラップ及び第３フラップ、並びに第２フラップを重ねた場合に、第２フラップが第４パネル重ね代部を有するときに、最外部となる第２フラップに延在する第４パネル重ね代部の裏側の面に形成される第４パネル重ね代接着剤層、また、第２フラップが第４パネル重ね代部を備えないときに、最外部となる第２フラップとその下側に位置する第１フラップ及び第３フラップ、又は第５パネルとの一部を接着する第２フラップ接着層と、
前記筒体の他方の開口を第６パネル、第４フラップ及び第６フラップ、並びに第５フラップを重ねた場合に、第５フラップが第４パネル重ね代部を有するときに、最外部となる第５フラップに延在する第４パネル重ね代部の裏側の面に形成される第４パネル重ね代接着剤層、また、第５フラップが第４パネル重ね代部を備えないときに、最外部となる第５フラップとその下側に位置する第４フラップ及び第６フラップ、又は第６パネルとの一部を接着する第５フラップ接着層とを含み、
前記切り離し部が、
第２フラップを、第２フラップ接着層により接着された接着部位、又は第４パネル重ね代接着剤層により接着された接着部位と第２フラップ接着層により接着されていない第２フラップ残片とに切り離す第２フラップ切り離し部と、
第５フラップを、第５フラップ接着層により接着された接着部位、又は第４パネル重ね代接着剤層により接着された接着部位と第５フラップ接着層により接着されていない第５フラップ残片とに切り離す第５フラップ切り離し部とを含み、
前記再生箱体用接着剤が、
前記裏返り筒体の一方の開口を覆蓋するように、第５パネル、第１フラップ及び第３フラップ、及び第２フラップ残片を重ねた場合に、最外部となる第５パネルの表側の面とその下側に位置する第２フラップ残片の裏側の面とを接着する第５パネル接着剤層、または最外部となる第２フラップ残片の表側の面とその下側に位置する第５パネルの表側の面とを接着する第２フラップ残片接着剤層と、
前記裏返り筒体の他方の開口を覆蓋するように、第６パネル、第４フラップ及び第６フラップ、及び第５フラップ残片を重ねた場合に、最外部となる第６パネルの表側の面とその下側に位置する第５フラップ残片の裏側の面とを接着する第６パネル接着剤層、または最外部となる第５フラップ残片の表側の面とその下側に位置する第６パネルの表側の面とを接着する第５フラップ残片接着剤層とを含むことを特徴とする前記請求項１又は２に記載の箱体用展開板。
【請求項５】
前記請求項１〜４のいずれか一項に記載の箱体用展開板を組み立ててなる箱体。
【発明の詳細な説明】
【技術分野】
【０００１】
この発明は、箱体用展開板、および箱体用展開板を組み立ててなる箱体に関し、更に詳述すると、箱体に組み立てることができ、しかも組み立てた箱体の一部を切り離すことにより元の展開板とは異なる再生箱体用展開板に展開することができ、その再生箱体用展開板を組み立てて再生箱体にすることのできる箱体用展開板に関する。
【背景技術】
【０００２】
従来、食品、文房具等の収納物を収納できるようにした様々な包装用箱が提案されている。このような包装用箱は、収納物を取り出した後、使用済みとなり、廃棄されることが一般的である。
【０００３】
このような包装用箱としては、例えば、原反紙から「一体的に打ち抜かれた箱体形成片から成り、この箱体形成片には、互いに連接された側面と、上記箱体形成片が組立状態のとき上記連接された側面で形成される箱体の端部を閉鎖する蓋片と、上記一側面に連続しこの側面に対向する側面と上記蓋片にかけて上記側面と上記蓋片の内壁面に沿ってつなぎ目が無く連続して設けられる内箱片と、上記内箱片に形成された被係合部と、上記内箱片の上記被係合部に対面する上記側面に形成された係合部が設けられ、上記内箱片は、上記箱体形成片の組立状態のとき上記一対の側面と上記蓋片の内側に沿って折り曲げられ、上記内箱片の被係合部は上記側面に形成された係合部に係止されていることを特徴とする包装用箱」が提案されている（特許文献１参照）。
【０００４】
【特許文献１】特開２００３−２９１９４８号（請求項１）  しかしながら、上記のような包装用箱は、一度開封してしまうと、他の用途に転用することができない。したがって、廃棄してしまうこととなるが、近年の省資源化の流れから、廃棄してしまうことは、包装用箱を構成する紙資源を無駄に消費することとなる。
【０００５】
前記包装用箱は通常紙製である。紙は木材から得られるパルプを原料にして製造される。したがって、前記のように包装容器が開封された後に単に廃棄されるだけであると、大量生産及び大量消費の現今においては、包装容器の廃棄は天然資源の無駄使いであり、パルプ生産のために大量の森林伐採を引き起こして、ひいては地球環境の悪化を招来するおそれが大きい。
【０００６】
また、包装容器の中身には、プラスチック製品、ガラス製品等の様々の素材を利用した製品がある。これら各種製品が使用済みになると廃棄されるのが通常である。そして廃棄されるプラスチック製品、ガラス製品等もまた天然資源から生産されるのであるから、これら使用済みの製品を廃棄することは天然資源の大いなる消耗である。
【０００７】
もしも、販売に供される商品を包装する包装容器が開封された後に、開封済みの包装容器から新たな包装容器を再生することができるのであれば、その再生された包装容器に、使用済みの前記製品を包装して所定の再生処理事業体に送付することができ、その再生処理事業体においては、集約された大量の再生包装容器を新たな紙資源として再利用することができ、また同時にその再生包装容器に収納されて送られてきた使用済み製品を、それがプラスチックであれ、ガラスであれ、木材であれ、それら使用済み製品を有効に再生利用することができることになるはずである。
【０００８】
つまり、開封後の包装容器から新たな包装容器を再生することができるような展開板が出現するならば、天然資源の無駄をなくし、地球環境に優しいビジネス環境を構築することができると予測される。
【発明の開示】
【発明が解決しようとする課題】
【０００９】
この発明の目的は、各種製品を収容することができる箱体に組み立てることができ、組み立てた箱体を開封することにより元の展開板とは異なる形状となった展開板を組み立てることにより再生箱体を得ることのできる箱体用展開板を提供することにある。また、この発明の他の目的は、再生箱体を得ることの出来る展開板に展開することのできる箱体を提供することにある。
【課題を解決するための手段】
【００１０】
前記課題を解決するための手段としての請求項１は、
一方向に配列されるとともに隣接するパネル間に存在する折り線を折り曲げることにより筒体に形成することのできる第１パネル、第２パネル、第３パネル及び第４パネルと、
前記第１パネル〜第４パネルの間に介在し、又は第４パネルの配列方向端部に折り線を介して延在するヘッダー形成用の第１ヘッダー部及び第２ヘッダー部と、
前記筒体を形成した場合に第１パネルと重なり合うように形成された筒体形成用重ね代部と、
前記第１〜４パネルの配列方向に直交する方向に延在し、前記筒体の両端開口のそれぞれを閉鎖する第５パネル及び第６パネルと、
前記筒体形成用重ね代部を前記第１パネルに重ね合わせて成る筒体の両端開口それぞれを第５パネル及び第６パネルそれぞれで各別に閉鎖してなる箱体を形成可能に接着する筒体形成用接着層と、
前記箱体を展開可能にする切り離し部と、
前記切り離し部を切り離すことにより展開されて成る再生箱体用展開板を組み立てて再生用箱体に形成可能にする再生箱体用接着剤層とを備えて成ることを特徴とする箱体用展開板であり、
請求項２は、
前記切り離し部が、前記筒体形成用重ね代部の前記配列方向における中間部であって前記配列方向に直交する方向において一端部から他端部まで形成されて成る筒体形成用重ね代切り離し部を含み、
前記箱体形成用接着剤層が、前記筒体形成用重ね代切り離し部と筒体形成用重ね代部の縁辺部との間に形成されて成る筒体形成重ね代部接着剤層を含み、
前記再生箱体形成用接着剤層が、前記第１〜４パネル及び前記筒体形成用重ね代切り離し部により形成された筒体形成用重ね代残片を裏返して折曲することにより裏返り筒体を形成することができる裏返り筒体形成用接着剤層を含むことを特徴とする前記請求項１に記載の箱体用展開板であり、
請求項３は、
前記第１パネルは、前記第１〜４パネルの配列方向に直交する方向に向かう、第１パネルの両端それぞれに折曲可能に延在形成された第１フラップ及び第４フラップを備え、
前記第２パネルは、前記配列方向に直交する方向に向かう、第２パネルの両端それぞれに折曲可能に延在形成された第２フラップ及び第５フラップを備え、
前記３パネルは、前記配列方向に直交する方向に向かう、第３パネルの両端それぞれに折曲可能に延在形成された第３フラップ及び第６フラップを備え、
前記箱体形成用接着剤層が、
前記筒体の一方の開口を覆蓋するように、第５パネル、第１フラップ及び第３フラップ、並びに第２フラップを重ねた場合に、最外部となる第２フラップとその下側に位置する第１フラップ及び第３フラップ、又は第５パネルとの一部を接着する第２フラップ接着層と、前記筒体の他方の開口を第６パネル、第４フラップ及び第６フラップ、並びに第５フラップを重ねた場合に、最外部となる第５フラップとその下側に位置する第４フラップ及び第６フラップ、又は第６パネルとの一部を接着する第５フラップ接着層とを含み、
前記切り離し部が、
第２フラップを第２フラップ接着層により接着された接着部位と第２フラップ接着層により接着されていない第２フラップ残片とに切り離す第２フラップ切り離し部と、
第５フラップを第５フラップ接着層により接着された接着部位と第５フラップ接着層により接着されていない第５フラップ残片とに切り離す第５フラップ用ジッパとを含み、
前記再生箱体用接着剤が、
前記裏返り筒体の一方の開口を覆蓋するように、第５パネル、第１フラップ及び第３フラップ、及び第２フラップ残片を重ねた場合に、最外部となる第５パネルの表側の面とその下側に位置する第２フラップ残片の裏側の面とを接着する第５パネル接着剤層、または最外部となる第２フラップ残片の表側の面とその下側に位置する第５パネルの表側の面とを接着する第２フラップ残片接着剤層と、
前記裏返り筒体の他方の開口を覆蓋するように、第６パネル、第４フラップ及び第６フラップ、及び第５フラップ残片を重ねた場合に、最外部となる第６パネルの表側の面とその下側に位置する第５フラップ残片の裏側の面とを接着する第６パネル接着剤層、または最外部となる第５フラップ残片の表側の面とその下側に位置する第６パネルの表側の面とを接着する第５フラップ残片接着剤層とを含むことを特徴とする前記請求項１又は２に記載の箱体用展開板であり、
請求項４は、
前記第１パネルは、前記第１〜４パネルの配列方向に直交する方向に向かう、第１パネルの両端それぞれに折曲可能に延在形成された第１フラップ及び第４フラップを備え、
前記第２パネルは、第２フラップ及び第５フラップを備え、前記第２フラップ及び第５フラップは、前記配列方向に直交する方向に向かう、第２パネルの両端それぞれに折曲可能に延在形成され、第２フラップ及び第５フラップの少なくともいずれかが前記筒体の開口を覆蓋する平面を有するとともに第４パネルの表側の面に重なる第４パネル重ね代部を有し、
前記３パネルは、前記配列方向に直交する方向に向かう、第３パネルの両端それぞれに折曲可能に延在形成された第３フラップ及び第６フラップを備え、
前記箱体形成用接着剤層が、
前記筒体の一方の開口を覆蓋するように、第５パネル、第１フラップ及び第３フラップ、並びに第２フラップを重ねた場合に、第２フラップが第４パネル重ね代部を有するときに、最外部となる第２フラップに延在する第４パネル重ね代部の裏側の面に形成される第４パネル重ね代接着剤層、また、第２フラップが第４パネル重ね代部を備えないときに、最外部となる第２フラップとその下側に位置する第１フラップ及び第３フラップ、又は第４パネルとの一部を接着する第２フラップ接着層と、
前記筒体の他方の開口を第６パネル、第４フラップ及び第６フラップ、並びに第５フラップを重ねた場合に、第５フラップが第４パネル重ね代部を有するときに、最外部となる第５フラップに延在する第４パネル重ね代部の裏側の面に形成される第４パネル重ね代接着剤層、また、第５フラップが第４パネル重ね代部を備えないときに、最外部となる第５フラップとその下側に位置する第４フラップ及び第６フラップ、又は第４パネルとの一部を接着する第５フラップ接着層とを含み、
前記切り離し部が、
第２フラップを、第２フラップ接着層により接着された接着部位、又は第４パネル重ね代接着剤層により接着された接着部位と第２フラップ接着層により接着されていない第２フラップ残片とに切り離す第２フラップ切り離し部と、
第５フラップを、第５フラップ接着層により接着された接着部位、又は第４パネル重ね代接着剤層により接着された接着部位と第５フラップ接着層により接着されていない第５フラップ残片とに切り離す第５フラップ用ジッパとを含み、
前記再生箱体用接着剤が、
前記裏返り筒体の一方の開口を覆蓋するように、第５パネル、第１フラップ及び第３フラップ、及び第２フラップ残片を重ねた場合に、最外部となる第５パネルの表側の面とその下側に位置する第２フラップ残片の裏側の面とを接着する第５パネル接着剤層、または最外部となる第２フラップ残片の表側の面とその下側に位置する第５パネルの表側の面とを接着する第２フラップ残片接着剤層と、
前記裏返り筒体の他方の開口を覆蓋するように、第６パネル、第４フラップ及び第６フラップ、及び第５フラップ残片を重ねた場合に、最外部となる第６パネルの表側の面とその下側に位置する第５フラップ残片の裏側の面とを接着する第６パネル接着剤層、または最外部となる第５フラップ残片の表側の面とその下側に位置する第６パネルの表側の面とを接着する第５フラップ残片接着剤層とを含むことを特徴とする前記請求項１又は２に記載の箱体用展開板であり、
請求項５は、
前記請求項１〜４のいずれか一項に記載の箱体用展開板を組み立ててなる箱体である。
【発明の効果】
【００１１】
この発明によると、商品乃至製品等の内容物を収容可能な箱体に組み立てることができ、その内容物を取り出すためにその箱体を開封することによって得られる展開板の形状が元の展開板の形状と相違するにも拘わらず、組み立てて新たな箱体を再生することができる。展開板を組み立てて形成される箱体を展開して元の形状の展開板を形成することができるのであれば、箱体を展開して得られる展開板を裏返して元の箱体を再生させることは何の工夫をも要することなく可能であるが、この発明においては、展開板を組み立てて形成される箱体を展開すると元の形状とは異なる展開板となるのであり、元の形状とは異なる展開板を用いて新たな再生箱体を形成することができるのであり、まさに特筆するべき発明と言うべきである。
【発明を実施するための最良の形態】
【００１２】
（実施例１）
＜箱体用展開板の構造＞
この発明の一例であるこの箱体用展開板（以下において、この発明に係る「箱体用展開板」及びこの実施例１に係る「箱体用展開板」を単に、「展開板」と略称することがある。）を図１に示す。
【００１３】
図１に示すように、この展開板１は表側の面と裏側の面とを有する。表側の面は、この展開板１を組み立てて箱体としたときにその箱体の表側と成る面であり、例えばこの箱体に商品を収容した場合には、その箱体の中に収容する商品等の表示、宣伝、装飾用図柄等が任意に印刷されている。この箱体用展開板の属する技術分野においては、この表側の面を印刷面と称することもある。裏側の面は、この箱体を展開してから再組み立てをすることにより新たな再生箱体として使用するのに必要な意匠、文字、図形、記号これらの組み合わせが印刷され、あるいは全くの無地となっている。
【００１４】
図１では、この展開板１の表側の面が示され、図２では、この展開板１の裏側の面が示される。
【００１５】
なお、この発明においては、箱体と再生箱体とは区別される。再生箱体は、前記箱体を一旦展開板に展開してからその展開板の裏側の面を表側の面となるように再組み立てして成り立つ。「再生箱体」は、箱体を展開して得られる展開板から新たな箱体を再生するのでこのような名称を有する。
【００１６】
この展開板１は、図１に示すように、筒体形成用第２重ね代部１２と、第１パネル５と、第２パネル２と、第３パネル４と、第１ヘッダ部１７と、第２ヘッダ部１８と、第４パネル３と、筒体形成用第１重ね代部２０とを、折り線を介してこの順に一方向に配列して有し、さらに、第１フラップ１３、第２フラップ８、第３フラップ１５、第４フラップ１４、第５フラップ９、第６フラップ１６、筒体形成用第１重ね代部２０及び筒体形成用第２重ね代部１２を折り線を介して有する。
【００１７】
この実施例においては、説明の便宜上、前記第２パネル２は、相対向する一対の長辺とこの長辺に直交して延在する相対向する一対の短辺とを備えて長方形の板状に形成されてなることとする。この発明においては、第２パネル２の平面形状は、図１において縦長又は横長の長方形であっても、正方形であってもよい。この第２パネル２の一方の長辺には、第３パネル４が、延在して形成される。したがって、この第２パネル２の一方の長辺は、隣接する第３パネル４の長辺でもあり、この第２パネル２と第３パネル４により共有される長辺は折り線となる。
【００１８】
この第２パネル２の他方の長辺には、第１パネル５が、延在して形成される。この発明においては、第１パネル５の平面形状は、図１において縦長又は横長の長方形であっても、正方形であってもよい。この第２パネル２の他方の長辺は、隣接する第１パネル５の長辺でもある。この第２パネル２の一方の短辺には、第３パネル４が、延在形成される。この第２パネル２の一方の短辺には、重ね代部の一つである第２フラップ８が延在形成され、この第２パネル２の他方の短辺には、重ね代部の一つである第５フラップ９が延在形成される。
【００１９】
前記第２フラップ８は、前述したように第２パネル２の一方の短辺を共有して延在する細長の長方形をした板状体であり、その短辺の長さは第１パネル５の短辺の長さよりもやや短めに設計される。この第２フラップ８は、その長辺に平行に形成された切り離し部例えばジッパを有する。この第２フラップ８に形成されたジッパを、この発明においては、第２フラップ用ジッパ１０と称することにする。この第２フラップ用ジッパ１０はこの発明における第２フラップ用切り離し部の一例である。この第２フラップ用ジッパ１０は、従来から公知の開封手段であり、図１及び図２に示されるように、一端に引き剥がし片と、その引き剥がし片を形成するところの、相対向する切り目に平行な不連続破線とで形成される。
【００２０】
前記第５フラップ９は、前述したように第２パネル２の他方の短辺を共有して延在する細長の長方形をした板状体であり、その短辺の長さは第１パネル５の短辺の長さよりもやや短めに設計される。この第５フラップ９は、その長辺に平行に形成された切り離し部例えばジッパを有する。この第５フラップ９に形成されたジッパを、この発明においては、第５フラップ用ジッパ１１と称することにする。この第５フラップ用ジッパ１１はこの発明における第５フラップ用切り離し部の一例である。この第５フラップ用ジッパ１１は、前記第２フラップ用ジッパ１０と同様の構造を有する
なお、「ジッパ」は、箱、パッケージ等の技術分野において広く知られた用語である。
【００２１】
前記第１パネル５は、相対向する一対の長辺とこの長辺に直交して延在する相対向する一対の短辺とを備えて細長い長方形の板状に形成されてなる。この第１パネル５の一方の長辺には、前述したように第２パネル２が延設形成される。この第１パネル５における他方の長片には、第２パネル２、第１パネル５、第４パネル３、及び第３パネル４により両端開口の筒体を形成するために、第４パネル３の長辺と第１パネル５の長辺とが一致するように、筒体形成用第２重ね代部１２が、延在形成される。この筒体形成用第２重ね代部１２は、展開板１においては、第２パネル２の長辺を底辺とする台形状をなし、第２パネル２の長辺を台形における下底とすると、前記台形状における上底の長さが前記下底の長さよりも僅かに短く設計されている。
【００２２】
前記第１パネル５は、その一対の短辺のうち一方の短辺に第１フラップ１３が延在形成され、他方の短辺に第４フラップ１４が延在形成される。この第１フラップ１３は、第１パネル５の短辺を一辺とし、この一辺に直交する方向に形成されたところの、換言すると第２パネル２の長辺を更に延在する方向に形成されたところの直交短辺を他の一辺とする略方形の板状体に形成される。この第１フラップ１３における直交短辺の長さは、図１及び図２に示されるように、第２フラップ８の短辺よりも若干長く設計される。
【００２３】
前記第４フラップ１４は、この第１パネル５の長辺の中点を通り、この長辺に直交する仮想線に対して、前記第１フラップ１３とは対称の位置に、かつ対称の形状に形成された板状体である。
【００２４】
なお、第１フラップ１３の直交短辺と前記第２フラップ８の短辺とは、図１では一体不離に形成されているように見えるが、分離している。同様に、第４フラップ１４の直交短辺と前記第５フラップ９の短辺とは、図１では一体不離に形成されているように見えるが、分離している。
【００２５】
第３パネル４は、前記第２パネル２の長辺を共有する長辺と、この長辺に相対向する長辺と、前記第１フラップ１３と第１パネル５とが共有する短辺及び第２パネル２の短辺とで形成される直線の延長線となる短辺と、この短辺に相対向する他方の短辺とで、略長方形に形成されてなる板状体である。この第３パネル４の一方の短辺には第３フラップ１５が延在形成され、この第３パネル４の他方の短辺には第６フラップ１６が延在形成される。
【００２６】
これら第３パネル４、第３フラップ１５及び第６フラップ１６は、前記第２パネル２における相対向する一対の短辺の中点を通り、しかも第２パネル２の長辺に平行な仮想直線に対して、前記第１パネル５、第１フラップ１３及び第４フラップ１４と、互いに対称な位置及び形状に形成されて成る。
【００２７】
前記第３パネル４には、第１ヘッダ部１７及び第２ヘッダ部１８が連接される。即ち、第１ヘッダ部１７は、第３パネル４の長辺から延在するように形成され、前記第３パネル４の長辺を共有する一方の長辺とこの長辺に相対向する他方の長辺と、前記一方の長辺の一端から他方の長辺の一端を結ぶとともに、前記第３パネル４における短辺と同一直線上にある一対の相対向する短辺とで略長方形に形成されてなる板状体である。
【００２８】
第２ヘッダ部１８は、第１ヘッダ部１７の長辺から延在するように形成され、この第１ヘッダ部１７の長辺を共有する一方の長辺とこの長辺に相対向する他方の長辺と、前記一方の長辺の一端から他方の長辺の一端を結ぶとともに、前記第１ヘッダ部１７における短辺と同一直線上にある一対の相対向する短辺とで略長方形に形成されてなる板状体である。
【００２９】
図１において、第１ヘッダ部１７と第２ヘッダ部１８とは、第１ヘッダ部１７と第２ヘッダ部１８とが共有する長辺を第１図において山折りにしたときに第１ヘッダ部１７と第２ヘッダ部１８とが重なりあうように、つまり対称に形成されて成る。第１ヘッダ部１７及び第２ヘッダ部１８それぞれには、開口部１９が形成され、この展開板１を組み立てて箱体としたときに、この箱体を適宜のピン等の係止部材に挿通してこの箱体を前記係止部材に対してぶら下げることが出来るように成っている。
【００３０】
前記第２ヘッダ部１８の長辺から延在して第４パネル３が形成される。この第４パネル３は、前記第２パネル２と同寸同形に形成される。
【００３１】
この第４パネル３の一方の短辺には、第５パネル６が延在形成され、他方の短辺には第６パネル７が延在形成される。この第５パネル６及び第６パネル７は、第４パネル３の輪郭の一部を形成するように相対向する一対の長辺の中点を、この長辺に直交するように通る仮想的な直線を中心にして対称な形状に形成された板状体である。この第５パネル６及び第６パネル７の大きさ及び形状は、前記第２パネル２、第１パネル５、第３パネル４及び第４パネル３を組み立てることにより形成される筒体の開口を閉鎖するように、設計される。
【００３２】
この第４パネル３の、前記第２ヘッダ部１８における長辺と共有する長辺に相対向する長辺には、筒体形成用第１重ね代部２０が、延在形成される。この筒体形成用第１重ね代部２０は、前記第２フラップ８及び第５フラップ９におけるのと同様の、ジッパを有する。このジッパを、第１パネル用ジッパ２１と称することにする。この第１パネル用ジッパ２１は、この発明における、筒体形成用重ね代部に形成された切り離し部の一例である。
【００３３】
この筒体形成用第１重ね代部２０は、前記第１パネル５の大きさとほぼ同じ形状を有する板状体である。
【００３４】
図１に示される展開板１の表側の面及び図２に示される展開板１の裏側の面には、接着剤層が形成される。
【００３５】
この接着剤層の接着位置は接着剤の種類に応じて決定される。例えば、箱体用展開板を組み立てて箱体を組み上げる場合に使用される接着剤は、箱体用展開板の製造事業体、又は箱体用展開板を組み立てて箱体の中に商品を収容する製造販売事業体等において箱体が組み立てられるのであるから、箱体が元の展開板に展開しない程度に箱体用展開板の所定箇所を接着することができるのであれば好いから適宜の接着剤を使用することができる。このような適宜の接着剤としては、ホットメルト接着剤、溶剤型接着剤、再湿接着剤、感圧接着剤等を適宜に採用することができる。いずれの接着剤を選択するかは、この箱体用展開板の用途等により、適宜に決定される。
【００３６】
箱体を展開して得られる再生箱体用展開板を組み立てる作業は、前記製造事業体又は製造販売事業体等とは異なる作業者により異なる場所で行われることが多いと予想されるので、再生箱体用展開板を組み立てる時まで接着剤の効果が持続し、接着剤層が他の物に接着してしまうことが避けられねば成らない。したがって、再生箱体用展開板を組み上げて得られる再生箱体が元の再生箱体用展開板に容易に展開しない程度に再生箱体における各部を接着しておく必要がある。その必要を満たすために使用される再生箱体用の接着剤層に使用される好適な接着剤としては、それ自身では他の物に接着することがなく、同じ接着剤層同士が会合し、圧力を加えることにより容易に接着することのできる感圧接着剤が好ましい。このような好適な感圧接着剤としては、天然ゴムをＳＢＲ、ＮＢＲ又はクロロプレンゴム等で変性してなる変性ゴム系接着剤を挙げることができる。また、再生箱体用の接着剤層に使用される接着剤が自己粘着性を有している場合には、その表面に剥離紙を貼着しておくのが望ましい。
【００３７】
この実施例においては、感圧接着剤を使用する接着剤層を例にして説明する。もっとも、以下の実施例においては接着剤層に使用される接着剤は感圧接着剤に限定されることがないことは、言うまでもない。
【００３８】
図１に示される展開板１の表側の面において、第５パネル６の表側の面には、帯状に形成された感圧接着剤層が、形成される。この感圧接着剤層を形成する感圧接着剤は、他の部材には接着することがなく、同種の感圧接着剤層同士が重なり合い、しかも押圧力が作用すると互いに接着する性質を有する。この第５パネル６に形成されている感圧接着剤層は、箱体を展開した展開板を組み立てて再生箱体を形作るために便利である。したがって、第５パネル６に形成されている感圧接着剤層を、再生箱体用第５パネル感圧接着剤層２２と称することにする。この再生箱体用第５パネル感圧接着剤層２２は、この発明における再生箱体用接着剤層の一例である。
【００３９】
前記第６パネル７の表側の面には、帯状に形成された感圧接着剤層が、形成される。この第６パネル７に形成されている感圧接着剤層もまた、箱体を展開して得られる再生箱体用展開板を組み立てて再生箱体を形作るために便利である。したがって、第６パネル７に形成されている感圧接着剤層を、再生箱体用第６パネル感圧接着剤層２３と称することにする。この再生箱体用第６パネル感圧接着剤層２３は、この発明における再生箱体用接着剤層の一例である。
【００４０】
前記第１フラップ１３の表側の面には、帯状に形成された感圧接着剤層が、形成される。この第１フラップ１３に形成されている感圧接着剤層は、箱体を組み立てるときに便利な接着剤層である。したがって、この第１フラップ１３に形成されている感圧接着剤層を、箱体用第１フラップ感圧接着剤層２４と称することにする。
【００４１】
前記第３フラップ１５の表側の面には、帯状に形成された感圧接着剤層が、形成される。この第３フラップ１５に形成されている感圧接着剤層は、箱体を組み立てるときに便利な接着剤層である。したがって、この第３フラップ１５に形成されている感圧接着剤層を、箱体用第３フラップ感圧接着剤層２５と称することにする。
【００４２】
前記第４フラップ１４の表側の面には、帯状に形成された感圧接着剤層が、形成される。この第４フラップ１４に形成されている感圧接着剤層は、箱体を組み立てるときに便利な接着剤層である。したがって、この第４フラップ１４に形成されている感圧接着剤層を、箱体用第４フラップ感圧接着剤層２６と称することにする。
【００４３】
前記第６フラップ１６の表側の面には、帯状に形成された感圧接着剤層が、形成される。この第６フラップ１６に形成されている感圧接着剤層は、箱体を組み立てるときに便利な接着剤層である。したがって、この第６フラップ１６に形成されている感圧接着剤層を、箱体用第６フラップ感圧接着剤層２７と称することにする。
【００４４】
前記第１パネル５の表側の面であって。第２パネル２の長辺よりの位置に、帯状に形成された感圧接着剤層が、形成される。この第１パネル５に形成されている感圧接着剤層は、箱体を組み立てるときに便利な接着剤層である。したがって、この第１パネル５に形成されている感圧接着剤層を、箱体用第１パネル感圧接着剤層２８と称することにする。
【００４５】
展開板の裏側の面にも感圧接着剤層が、形成される。なお、箱体を組み立てるために必要な接着剤層を形成する接着剤は、前述したように感圧接着剤に限られず、通常の溶剤型接着剤、ホットメルト接着剤、紫外線硬化型接着剤等であってもよい。
【００４６】
図２に示されるように、第２フラップ８の裏側の面であって、第２フラップ用ジッパ１０と第２フラップ８の長辺（正確には、第２パネル２の長辺と共有されていない長辺）との間に、第２フラップ用ジッパ１０に沿う方向に帯状の感圧接着剤層が、形成される。この第２フラップ８の裏側の面に形成されている感圧接着剤層は、箱体を組み立てるときに、箱体用第１フラップ感圧接着剤層２４及び箱体用第３フラップ感圧接着剤層２５と重なり合い、接触し、押圧力により相互に接着することができるように、その形成位置が設計される。この感圧接着剤は、箱体用第２フラップ感圧接着剤層２９と、称することにする。
【００４７】
この第２フラップ８の裏側の面であって、第２フラップ用ジッパ１０と第２フラップ８の長辺（正確には、第２パネル２の長辺と共有される長辺）との間に、第２フラップ用ジッパ１０に沿う方向に帯状の感圧接着剤層が、形成される。この第２フラップ８の裏側の面に形成されている感圧接着剤層は、再生箱体を組み立てるときに、再生箱体用第５パネル感圧接着剤層２２と重なり合い、接触し、押圧力により相互に接着することができるように、その形成位置が設計される。この感圧接着剤は、再生箱体用第２フラップ感圧接着剤層３０と、称することにする。再生箱体用第２フラップ感圧接着剤層３０は、この発明における再生箱体用接着剤層の一例である。
【００４８】
図２に示されるように、第５フラップ９の裏側の面に、第５フラップ用ジッパ１１と第５フラップ９の長辺（正確には、第２パネル２の長辺と共有されていない長辺）との間に、第５フラップ用ジッパ１１に沿う方向に帯状の感圧接着剤層が、形成される。この第５フラップ９の裏側の面に形成されている感圧接着剤層は、箱体を組み立てるときに、箱体用第４フラップ感圧接着剤層２６及び箱体用第６フラップ感圧接着剤層２７と重なり合い、接触し、押圧力により相互に接着することができるように、その形成位置が設計される。この感圧接着剤は、箱体用第４フラップ感圧接着剤層３１と、称することにする。
【００４９】
この第５フラップ９の裏側の面であって、第５フラップ用ジッパ１１と第５フラップ９の長辺（正確には、第２パネル２の長辺と共有される長辺）との間に、第５フラップ用ジッパ１１に沿う方向に帯状の感圧接着剤層が、形成される。この第５フラップ９の裏側の面に形成されている感圧接着剤層は、再生箱体を組み立てるときに、再生箱体用第６パネル感圧接着剤層２３と重なり合い、接触し、押圧力により相互に接着することができるように、その形成位置が設計される。この感圧接着剤は、再生箱体用第４フラップ感圧接着剤層３１と、称することにする。
【００５０】
筒体形成用第１重ね代部１２の裏側の面には、第２パネル２の長辺と共有される長辺に沿って帯状の感圧接着剤層が形成される。この感圧接着剤層は、再生箱体を組み立てるときに便利な接着剤層であるから、再生箱体用筒体形成第１重ね代部感圧接着剤層２と称することにする。
【００５１】
図２に示されるように、第１ヘッダ部１７の裏側の面には、第３パネル４の裏側の面における長辺に沿い、しかも長辺寄りに、帯状の感圧接着剤層が形成される。同様に、第２ヘッダ部１８の裏側の面にも、第４パネル３の裏側の面における長片に沿い、しかも長辺寄りに、帯状の感圧接着剤層が形成される。図２において第１ヘッダ部１７と第２ヘッダ部１８とが共有する長辺を谷折りして第１ヘッダ部１７の裏側の面と第２ヘッダ部１８の裏側の面とを重ね合わせると、この第１ヘッダ部１７の裏側の面に形成された感圧接着剤層と第２ヘッダ部１８の裏側の面に形成された感圧接着剤層とが、重なり合い、接触し、押圧力により相互に接着することができるように、その層形成位置が設計される。第１ヘッダ部１７の裏側の面に形成された感圧接着剤層を、箱体用第１ヘッダ感圧接着剤層３３と称することにし、また、第２ヘッダ部１８の裏側の面に形成された感圧接着剤層を、箱体用第２ヘッダ感圧接着剤層３４と称することにする。
【００５２】
図２に示されるように、筒体形成用第１重ね代部２０の裏側の面には、第１パネル用ジッパ２１と筒体形成用第１重ね代部２０の長辺（正確には、第２パネル２の長辺と共有されていない長辺）との間に、第１パネル用ジッパ２１に沿う方向に帯状の感圧接着剤層が、形成される。この筒体形成用第１重ね代部２０の裏側の面に形成されている感圧接着剤層は、箱体を組み立てるときに、箱体用第１パネル感圧接着剤層２８と重なり合い、接触し、押圧力により相互に接着することができるように、その形成位置が設計される。この感圧接着剤は、箱体用筒体形成第２重ね代部感圧接着剤層３５と、称することにする。
【００５３】
この筒体形成用第１重ね代部２０の裏側の面であって、第１パネル用ジッパ２１と第４パネル３の長辺（正確には、第２パネル２の長辺と共有される長辺）との間に、第１パネル用ジッパ２１に沿う方向に帯状の感圧接着剤層が、形成される。この筒体形成用第１重ね代部２０の裏側の面に形成されている感圧接着剤層は、再生箱体を組み立てるときに、再生箱体用筒体形成第１重ね代部感圧接着剤層３２と重なり合い、接触し、押圧力により相互に接着することができるように、その形成位置が設計される。この感圧接着剤層は、再生箱体用筒体形成第２重ね代部感圧接着剤層３６と、称することにする。
【００５４】
なお、各パネル同士で共有される長辺及び短辺、パネルとフラップとが共有する長辺及び短辺は、また折り線とも称される。
【００５５】
＜箱体への展開板の組立、箱体を展開してからの再生箱体への組立＞
次に、この展開板は、次のようにして箱体に形成される。
【００５６】
図２において、長辺ａ、及び長辺ｂを谷折りにし、長辺ｃを山折りにし、長辺ｄを谷折りすることにより、第２パネル２の裏側の面と第４パネル３の裏側の面とを相対向させる。またこのとき、第１ヘッダ部１７の裏側の面と第２ヘッダ部１８の裏側の面とを重ね合わせ、箱体用第１ヘッダ感圧接着剤層３３と箱体用第２ヘッダ感圧接着剤層３４とを重ね合わせて圧着する。これによって、第１ヘッダ部１７と第２ヘッダ部１８とが一体に成る。なお、このように第１ヘッダ部１７と第２ヘッダ部１８とを重ね合わせて箱体用第１ヘッダ感圧接着剤層３３と箱体用第２ヘッダ感圧接着剤層３４とを接着するのであるから、第１ヘッダ部１７の裏側の面に設けられる箱体用第１ヘッダ感圧接着剤層３３の形成位置と第２ヘッダ部１８の裏側の面に設けられる箱体用第２ヘッダ感圧接着剤層３４の形成位置とが、長辺ｄに対して対称になるように、決定されることが望ましい。なお、第１ヘッダ部１７と第２ヘッダ部１８とのそれぞれの裏側の面同士を接着するだけであるなら、感圧接着剤を用いずに他の粘着性接着剤、ホットメルト系接着剤、溶液型接着剤等を適宜に使用した接着剤層を採用することができ、そのような接着剤層を採用する場合には、箱体用第１ヘッダ感圧接着剤層３３及び箱体用第２ヘッダ感圧接着剤層３４のいずれかを省略し、残る接着剤層を、感圧接着剤以外の接着剤で形成することもできる。
【００５７】
長辺ｅを折らないでいると、第１ヘッダ部１７と第２ヘッダ部１８との一体物であるヘッダは、第４パネル３と同じ平面上にある。
【００５８】
図２において、第２パネル２の裏側の面と第４パネル３の裏側の面とを相対向させる。長辺ｆを谷折りにして、筒体形成用第２重ね代部１２を第４パネル３の裏側の面に沿うように差し込む。次いで、図２において長辺ｇを谷折りすることにより、第１パネル４の表側の面に筒体形成用第１重ね代部２０の裏側の面を重ねる。重ね合わせると、第１パネル４の表側の面に形成された箱体用第１パネル感圧接着剤層２８と筒体形成用第１重ね代部２０の裏側の面に設けられた箱体用筒体形成第２重ね代部感圧接着剤層３５とが相対向し、接触する。そして、筒体形成用第１重ね代部２０を第１パネル４に対して強く押圧することにより、箱体用第１パネル感圧接着剤層２８と箱体用筒体形成第２重ね代部感圧接着剤層３５とが接着し、これによって第１パネル５の表側の面に筒体形成用第１重ね代部２０が重ねられた状態で、第１パネルと筒体形成用第１重ね代部２０とが分離しないように固着する。その結果、一方向に配列されるとともに隣接するパネル間に存在する折り線を折り曲げ、箱体用第１パネル感圧接着剤層２８と箱体用筒体形成第２重ね代部感圧接着剤層３５との接着により、容易に展開しない筒体が形成される。
【００５９】
次いで、図２において短辺ｈ、短辺ｉ、短辺ｊ及び短辺ｋを谷折りにする。換言すると、図１において、短辺ｈ、短辺ｉ、短辺ｊ及び短辺ｋを山折りにする。
【００６０】
そして、第２パネル２，第３パネル４，第４パネル３及び第１パネル５により形成された筒体の一方の開口を、第５パネル６で閉鎖し、閉鎖した第５パネル６の表側の面に第１フラップ１３及び第３フラップ１５の裏側の面が接触するように、第１フラップ１３及び第３フラップ１５を重ね、第１フラップ１３の表側の面及び第３フラップ１５の表側の面に第２フラップ８の裏側の面を重ね合わせる。そうすると、第２フラップ８の裏側の面に形成された箱体用第４フラップ感圧接着剤層３１が箱体用第１フラップ感圧接着剤層２４、及び箱体用第３フラップ感圧接着剤層２５に重ね合わされ、接着する。
【００６１】
これによって第２パネル２，第３パネル４，第４パネル３及び第１パネル５により形成された筒体の一方の開口が第２フラップ８で閉鎖されることになる。
【００６２】
なおここで、第１フラップ１３の表側の面及び第３フラップ１５の表側の面に第２フラップ８の裏側の面を重ね合わせたときに、箱体用第４フラップ感圧接着剤層３１が箱体用第１フラップ感圧接着剤層２４、及び箱体用第３フラップ感圧接着剤層２５に重なるように、箱体用第４フラップ感圧接着剤層３１、箱体用第１フラップ感圧接着剤層２４、及び箱体用第３フラップ感圧接着剤層２５の形成位置を調整しておくことが、望ましい。
【００６３】
次いで、図２において短辺l（エル）、短辺ｍ、短辺ｎ及び短辺ｏを谷折りにする。換言すると、図１において、短辺ｌ、短辺ｍ、短辺ｎ及び短辺ｏを山折りにする。なお、「山折り」及び「谷折り」という用語は、この発明においては、箱体を組み立てるときに箱体用展開板の裏側の面からみて谷になる折り線は谷折りの折り線であるといい、山に成る折り線は山折りの折り線であると、表現される。また、ある図面に着目した場合には、その図面において谷になる折り線は谷折りの折り線と称し、その図面において山に成る折り線は山折りの折り線であると表現される。
【００６４】
そして、第２パネル２、第３パネル４、第４パネル３及び第１パネル５により形成された筒体の他方の開口を、第６パネル７で閉鎖し、閉鎖した第６パネル７の表側の面に第４フラップ１４及び第６フラップ１６の裏側の面が接触するように、第４フラップ１４及び第６フラップ１６を重ね、第４フラップ１４の表側の面及び第６フラップ１６の表側の面に第５フラップ９の裏側の面を重ね合わせる。そうすると、第５フラップ９の裏側の面に形成された箱体用第４フラップ感圧接着剤層３１が箱体用第４フラップ感圧接着剤層２６、及び箱体用第６フラップ感圧接着剤層２７に重ね合わされ、接着する。
【００６５】
これによって第２パネル２，第３パネル４，第４パネル３及び第１パネル５により形成された筒体の他方の開口が第６パネル７で閉鎖されることになる。
【００６６】
なおここで、第４フラップ１４の表側の面及び第６フラップ１６の表側の面に第５フラップ９の裏側の面を重ね合わせたときに、箱体用第４フラップ感圧接着剤層３１が箱体用第４フラップ感圧接着剤層２６、及び箱体用第６フラップ感圧接着剤層２７に重なるように、箱体用第４フラップ感圧接着剤層３１、箱体用第４フラップ感圧接着剤層２６、及び箱体用第６フラップ感圧接着剤層２７の形成位置を調整しておくことが、望ましい。
【００６７】
かくして、箱体が完成する。
【００６８】
通常の場合、この箱体を組み立てるときに、この箱体の中に販売製品等が収納される。
【００６９】
次のようにして、この箱体を解体して再生箱体用展開板にする。
【００７０】
先ず、箱体（図示せず。）における第２フラップ用ジッパ１０、第５フラップ用ジッパ１１、及び第１パネル用ジッパ２１を切除する。これによって、第２フラップ残片８Ａが第１フラップ１３及び第３フラップ１５から遊離の状態になり、第５フラップ残片９Ａが第４フラップ１４及び第６フラップ１６から遊離の状態になり、筒体形成用第２重ね代部残片２０Ａが第１パネル５から遊離の状態になる。そして第２フラップ用ジッパ１０、第５フラップ用ジッパ１１、及び第１パネル用ジッパ２１を切除してなる再生箱体用展開板の表側の面が、図３に、その裏側の面が図４に示される。なお、図３において、３７は、第１ヘッダ部１７及び第２ヘッダ部１８をその裏側の面同士で接着することにより一体化されたヘッダを示し、図３において紙面に垂直に立設した状態となっている。
【００７１】
次いで、図３において、長辺ａ、長辺ｂ、長辺ｃ、長辺ｇ及び長辺ｆを谷折りにして、第２パネル２の表側の面と第４パネル３の表側の面とを向かい合わせにし、再生箱体用筒体形成第１重ね代部感圧接着剤層３２と再生箱体用筒体形成第２重ね代部感圧接着剤層３６とを重ね合わせて押圧することによりこれら感圧接着剤層を一体に接着する。そうすると、第２パネル２，第３パネル４、第４パネル３及び第１パネル５により筒体が形成される。この筒体は、第２パネル２の裏側、第３パネル４の裏側、第４パネル３の裏側及び第１パネル５の裏側が外側に露出する形態となり、つまり裏返り筒体となっている。
【００７２】
図４において短辺ｉ及び短辺ｋを山折りして前記第４フラップ１４及び第６フラップ１６をこの裏返り筒体の一方の開口を閉鎖する。次いで、図４において長辺ｊを山折りして第５フラップ残片９Ａを前記第４フラップ１４及び第６フラップ１６に重ねる。その後に、長辺ｈを山折りして第６パネル７の表側の面を前記第５フラップ残片９Ａの上に重ね合わせる。前記第６パネル第３重ね合わせ部９Ａの裏側の面には再生箱体用筒体形成第１重ね代部感圧接着剤層３２が塗工されており、また前記第６パネル７の表側の面には再生箱体用第６パネル感圧接着剤層２３が形成されているので、第６パネル７の表側の面を前記第５フラップ残片９Ａの上に重ね合わせると、再生箱体用筒体形成第１重ね代部感圧接着剤層３２と再生箱体用第６パネル感圧接着剤層２３とが会合し、押圧により相互に接着し、前記裏返り筒体の一方の開口が第６パネル７により閉鎖される。
【００７３】
同様にして、裏返り筒体の他方の開口が、第１フラップ１３及び第３フラップ１５の上に第２フラップ残片８Ａを重ね合わせ、この第２フラップ残片８Ａの上に第５パネル６を重ね合わせ、再生箱体用第２フラップ感圧接着剤層３０と再生箱体用第５パネル感圧接着剤層２２とを相互に接着させ、これによって裏返り筒体の他方の開口が第５パネル６により閉鎖されて、再生箱体が完成する。
【００７４】
＜箱体用展開板及び箱体の利点＞
上述したように、図１及び図２に示す箱体用展開板を使用すると、先ずこの箱体用展開板により箱体を組み立てることができ、組み立てられた箱体における切り離し部を切除することにより展開された再生箱体用展開板を組み立てることにより、容易に再生箱体を組み立てることができる。
【００７５】
そして、この再生箱体を組み立てる際に筒体内に適宜の物品を収納させることもできる。
【００７６】
そうすると、例えば次のようにして、この箱体用展開板を環境リサイクル事業に活用することができる。換言すると、この発明に係る箱体用展開板は、再生箱体として再利用することができるから、新たな環境リサイクル事業というビジネスを創出することができるのである。
【００７７】
例えばプラスチック製品例えばパソコン用のプリンタに装備されるインクカートリッジは包装容器に収納されて、通常、販売されている。購入者は、包装容器入りのインクカートリッジを購入し、包装容器からインクカートリッジを取り出し、購入者使用のプリンタにそのインクカートリッジを装填する。多くの場合、包装容器はゴミとして廃棄される。この包装容器が紙製であると、廃棄された包装容器は、ゴミ焼却場で焼却されてしまう。紙製の包装容器の原料はパルプであり、木材であるから、使用済みに包装容器を焼却処分することは、環境資源の無駄使いであると言える。また、インクカートリッジ内のインクが消尽してしまうと、空になったインクカートリッジも通常の場合には廃棄され、また焼却処分されてしまう。インクカートリッジを形成するプラスチックは元はといえば石油から製造されたものであるから、プラスチック製のインクカートリッジが空になったからといって直ちに廃棄処分又は焼却処分するのは、これまた資源の無駄というものである。
【００７８】
このような状況下において、前記箱体用展開板は、資源回収の大きな一助となる。すなわち、例えばインクカートリッジを収容する包装容器として、この箱体用展開板を組み立てて得られる再生箱体を使用する。インクカートリッジの販売者乃至製造者としては、インクカートリッジを保護するために包装容器としての前記箱体にインクカートリッジを収容してこれを販売し、使用済みの空のインクカートリッジをその販売者乃至製造者が回収するための回収容器として前記再生箱体を使用すると、その販売者乃至製造者のもとに、包装容器としての箱体及びプラスチック製の使用済みのインクカートリッジが集約されることになる。集約された再生箱体は紙資源として再利用されることができ、集約されたプラスチックの使用済みのインクカートリッジはプラスチックの再利用及び分解することにより種々の化学物質の回収を行うことができる。
【００７９】
要するに、この箱体用展開板を用いると商品販売用の包装容器である箱体として使用することができ、その箱体を展開して得られる再生箱体を組み立てた再生箱体は使用済み商品の回収用容器として再利用することができる。
【００８０】
（実施例２）
次にこの発明の第２の実施例について説明する。
【００８１】
＜展開板の構造＞
なお、図１〜４において説明したのと同じ名称の部位については図１〜４において使用したのと同じ参照番号を付することにする。
【００８２】
図１及び図２に示す箱体用展開板１と図５及び図６に示す箱体用展開板１Ａとが相違するところは、
(1)  図１に示される箱体用展開板における第３パネル４、第１ヘッダ部１７、第２ヘッダ部１８、第４パネル３及び筒体形成用第１重ね代部２０がこの順に配列される代わりに、図５及び図６に示される箱体用展開板においては、第３パネル４、第４パネル１８、第１ヘッダ部１７、及び第２ヘッダ部１８及び筒体形成用第１重ね代部２０がこの順に配列されていること、
(2)  図１に示される箱体用展開板における第２フラップ８に第２フラップ用ジッパ１０が形成される代わりに、図５に示される箱体用展開板における第２フラップ８にＴ字型の第５パネル用ミシン目１０Ａが切り離し部として形成されていること、
(3)  図１に示される箱体用展開板における第５フラップ９に第５フラップ用ジッパ１１が形成される代わりに、図５に示される箱体用展開板における第５フラップ９にＴ字型の第６パネル用ミシン目１１Ａが切り離し部として形成されていること、
(4)  図１に示される箱体用展開板における第１ヘッダ部１７の面内には折り線が形成されていない代わりに、図５に示される箱体用展開板における第１ヘッダ部１７の面内に折り線（以下において、この折り線を第１ヘッダ折り線４０と称することがある。）が形成されていること、
(5)  図１に示される箱体用展開板における第２ヘッダ部１８の面内には折り線が形成されていない代わりに、図５に示される箱体用展開板における第２ヘッダ部１８の面内に折り線（以下において、この折り線を第２ヘッダ折り線４１と称することがある。）が形成されていること、
(6)  図１に示される箱体用展開板における第２パネル２の長辺を共有する筒体形成用第２重ね代部１２が形成されている代わりに、図５に示される箱体用展開板における第２パネル２の長辺を共有する筒体形成用第１重ね代部が形成されていないこと、
(7)  図１に示される箱体用展開板における第２パネル２には箱体用第１パネル感圧接着剤層２８が形成されているだけであるのに、図５に示される箱体用展開板における第２パネル２には箱体用第１パネル感圧接着剤層２８と裏返り筒体用第１パネル第１感圧接着剤層４２とが形成されていること、
(8)  図２に示される箱体用展開板における第１ヘッダ部１７の裏側の面に、第４パネル３の長辺寄りに箱体用第１ヘッダ感圧接着剤層３３が形成されている代わりに、図６に示される箱体用展開板における第１ヘッダ部１７の裏側の面に、第１ヘッダ折り線４０と第４パネル３の長辺との間に裏返り筒体用第１パネル第２感圧接着剤層４３が形成され、しかもこの第１ヘッダ折り線４０を挟んで裏返り筒体用第１パネル第２感圧接着剤層４３に平行に箱体用第１ヘッダ感圧接着剤層３３が形成されていること、
(9)  図２に示される箱体用展開板における第２ヘッダ部１８の裏側の面に、筒体形成用第１重ね代部２０の長辺寄りに箱体用第１ヘッダ感圧３４が形成されている代わりに、図６に示される箱体用展開板における第２ヘッダ部１８の裏側の面に、第２ヘッダ折り線４１に沿って箱体用第２ヘッダ感圧接着剤層３４が形成されていること、
である。
【００８３】
＜展開板から箱体への組立、再生箱体への組立＞
図６に示される箱体用展開板の裏側の面において、長辺ｄを谷折りにすることにより第１ヘッダ部１７の裏側の面と第２ヘッダ部１８の裏側の面とを重ね合わせ、箱体用第１ヘッダ感圧接着剤層３３と箱体用第２ヘッダ感圧接着剤層３４とを相互に接着することにより、第１ヘッダ部１７と第２ヘッダ部１８とを一体化する。なお、このように第１ヘッダ部１７と第２ヘッダ部１８とを一体的に接着して一枚板にするために、前記図２に示される箱体用展開板１におけるのと同様に、第１ヘッダ部１７の裏側の面に形成される箱体用第１ヘッダ感圧接着剤層３３の塗工位置と、第２ヘッダ部１８の裏側の面に形成される箱体用第２ヘッダ感圧接着剤層３４の塗工位置とを、長辺ｄに対して対称にしておくことが肝要である。
【００８４】
さらに、図６に示される箱体用展開板１Ａにおいて、長辺ａ、長辺ｂ、及び長辺ｐを谷折りにするとともに長辺ｑを山折りにすると、第２パネル２の裏側の面と第４パネル３の裏側の面とが相対向し、しかも第１パネル５の表側の面に筒体形成用第１重ね代部２０の裏側の面が相向かうように第１パネル５と筒体形成用第１重ね代部２０とが位置し合う。そして、箱体用第１パネル感圧接着剤層２８と箱体用筒体形成第２重ね代部感圧接着剤層３５とを重ね合わせて押圧することによりこれら接着剤層が相互に接着し、これによって、第１パネル５と筒体形成用第１重ね代部２０とが一体に結合する。そして、第２パネル２、第３パネル４、第４パネル３及び第１パネル５と筒体形成用第１重ね代部２０との一体片により、両端開口の筒体が形成される。なお、このとき、第４パネル３と第１ヘッダ部１７及び第２ヘッダ部１８の一体化物であるヘッダとが同一平面上にある。
【００８５】
次いで、図１及び図２に示される展開図を箱体に組み立てる場合と同様にして、図５において短辺ｈを山折りにすることにより前記筒体の一方の開口を第５パネル６で塞ぎ、短辺ｉ及び短辺ｋを図５において山折りにすることにより（図６においては谷折りとなる）、第５パネル６の表側の面に第１フラップ１３及び第３フラップ１５の裏面側を重ね合わせ、さらに、長辺ｊを図５において山折りにすることにより、第５パネル６の表側の面に重ねられた第１フラップ１３及び第３フラップ１５の表側の面に、第２フラップ８の裏側の面を重ね合わせる。そうすると、第２フラップ８の裏側の面に形成された箱体用第２フラップ感圧接着剤層２９が箱体用第１フラップ感圧接着剤層２４及び箱体用第３フラップ感圧接着剤層２５に接触し、圧着により箱体用第１フラップ感圧接着剤層２４及び箱体用第３フラップ感圧接着剤層２５と箱体用第２フラップ感圧接着剤層２９とが相互に一体に接着する。こうして筒体の一方の開口が、第２フラップ８により閉鎖される。
【００８６】
同様にして、図５において短辺ｌを山折りにすることにより前記筒体の他方の開口を第６パネル７で塞ぎ、短辺ｍ及び短辺ｏを図５において山折りにすることにより（図６においては谷折りとなる）、第６パネル７の表側の面に第１フラップ１３及び第３フラップ１５の裏面側を重ね合わせ、さらに、長辺ｊを図５において山折りにすることにより、第５パネル６の表側の面に重ねられた第４フラップ１４及び第６フラップ１６の表側の面に、第５フラップ９の裏側の面を重ね合わせる。そうすると、第５フラップ９の裏側の面に形成された箱体用第４フラップ感圧接着剤層３１が箱体用第４フラップ感圧接着剤層２６及び箱体用第６フラップ感圧接着剤層２７に接触し、圧着により箱体用第４フラップ感圧接着剤層２６及び箱体用第６フラップ感圧接着剤層２７と箱体用第４フラップ感圧接着剤層３１とが相互に一体に接着する。こうして筒体の他方の開口が、第５フラップ９により閉鎖される。
【００８７】
かくして、図５及び図６に示される箱体用展開板を組み立てて箱体が形成される。
【００８８】
次のようにして、この箱体を解体して再生箱体用展開板にする。
【００８９】
先ず、箱体（図示せず。）における第５パネル用ミシン目１０Ａ、第６パネル用ミシン目１１Ａ、及び第１パネル用ジッパ２１を切除する。これによって、第２フラップ残片８Ａが第１フラップ１３及び第３フラップ１５から遊離の状態になり、第５フラップ残片９Ａが第４フラップ１４及び第６フラップ１６から遊離の状態になり、筒体形成用第２重ね代部残片２０Ａが第１パネル５から遊離の状態になる。そして第５パネル用ミシン目１０Ａ、第６パネル用ミシン目１１Ａ、及び第１パネル用ジッパ２１を切除してなる再生箱体用展開板の表側の面が、図７に、その裏側の面が図８に示される。なお、図７において、３７は、第１ヘッダ部１７及び第２ヘッダ部１８をその裏側の面同士で接着することにより一体化されたヘッダを示し、図７において、第１ヘッダ折り線４０及び第２ヘッダ折り線４１が、谷折りになっていることにより、図７において紙面に垂直に立設した状態となっている。
【００９０】
実施例１における再生箱体用展開板を組み立てて再生箱体を形成するのと同様にして、先ず、図７及び図９において、長辺ａ、長辺ｂ、長辺ｐ及び長辺ｑを谷折りにする。そうすると、図９によく示されるように、長辺ｑ及び第１ヘッダ折り線４０により形成される第１ヘッダ帯状片４４と、長辺ｒ及び第２ヘッダ折り線４１により形成される第２ヘッダ帯状片４５の裏側の面に、第１パネル５の表側の面が重なる。そして、第１パネル５に形成されている裏返り筒体用第１パネル第１感圧接着剤層４２と、第１ヘッダ帯状片４４の裏側の面に形成されている裏返り筒体用第１パネル第２感圧接着剤層４３とが、会合し、接着することにより、前記第１ヘッダ帯状片４４と第１パネル５とが一体に接着される。
【００９１】
第２パネル２、第３パネル４、第４パネル３及び第１パネル５により形成される筒体の両端開口は、前記実施例１におけるのと同様にして、第５パネル６及び第６パネル７により閉塞されて再生箱体が完成する。
【００９２】
更に詳述すると次の通りである。図９に示されるように、第４フラップ１４と第６フラップ１６とを筒体の一方の開口を覆うように折り曲げる。折り曲げると第４フラップ１４の裏側の面と第６フラップ１６の裏側の面とがともに外側に向いている。第５フラップ残片９Ａの表側が前記第４フラップ１４の裏側の面と第６フラップ１６の裏側に重なるように、第５フラップ残片９Ａに折り曲げる。この第５フラップ残片９Ａの裏側の面に、第６パネル７の表側の面を重ねるように、折り曲げ、再生箱体用第２フラップ感圧接着剤層３０と再生箱体用第６パネル感圧接着剤層２３とを重ね合わせて接着し、これにより第５フラップ残片９Ａと第６パネル７とが一体に結合して、筒体の開口が第６パネル７により閉鎖される。
【００９３】
筒体の他の開口も、同様の手順により、第５パネル６により閉鎖される。
【００９４】
（変形例）
以上において、この発明の一実施例としての実施例１及び実施例２を示して、この発明の内容を説明した。が、この発明は前記実施例に限定されるものではなく、この発明の要旨の範囲内において、種々の設計変更を加えて実施することができる。
(1)  既に述べたように、接着剤層を形成する接着剤の種類は、感圧接着剤に限定されない。もっとも、箱体を展開して得られる展開板から再生箱体を組み立てるときに所要部位を接着するのに必要な再生箱体用接着剤層を形成する接着剤は感圧接着剤であるのが好ましく、その場合には、再生箱体用展開板を組み上げた場合に所定の向き合う面に、感圧接着剤で形成した再生箱体用接着剤層を形成しておくのが望ましい。箱体を組み立ててその箱体が展開しないように接着するための接着剤層は、特に感圧接着剤を使用しなくてもよい。
(2)  切り離し部の構造は、前記実施例１及び実施例２において示されるジッパ及びミシン目に限られることはない。要するに、接着剤により接着されることにより展開しない筒体又は箱体においてその接着剤による接着部位と非接着部位とを分離分割することのできる構造を有する限り、各種の構成を有する切り離し部を、この発明に採用することができる。
【００９５】
切り離し部としてジッパとミシン目とを組み合わせた一枚の箱体用展開板の一例を図１０に示すことができる。図１０に示される箱体用展開板１Ｂが図１に示される箱体用展開板１と相違するところは、図１の箱体用展開板１における第２フラップ用ジッパ１０の代わりに、第５パネル用ミシン目１０Ａが採用され、また、図１の箱体用展開板１における第５フラップ用ジッパ１１の代わりに、第６パネル用ミシン目１１Ａが採用されることである。
【００９６】
図１１に示される箱体用展開板１Ｃが、図５に示される箱体用展開板１Ａと相違するところは、
(a)  図５に示されたところの、筒体の開口を閉鎖覆蓋する面積を有する第２フラップ８に設けられた第５パネル用ミシン目１０Ａを設ける代わりに、第２フラップ用ジッパ１０を設け、その第２フラップ用ジッパ１０を設ける位置を第２フラップ８の外側端辺部にしたこと、
(b)  したがって、図５に示されたところの、第２フラップ８の裏側の面には、箱体用第２フラップ感圧接着剤層２９が塗工されていないこと、
(c)  図５に示されたところの、第２フラップ８の端辺部にはこの端辺部から延在する片又は延在片が存在しないが、図１１に示される箱体用展開板にあっては、第４パネル重ね代部５０が第２フラップ８の端辺部から延在形成され、この第４パネル重ね代部５０の裏側の面には、第４パネルの表側面に接着可能な第５パネル重ね代接着剤層が形成されていること、
(d)  図５に示されたところの、筒体の開口を閉鎖覆蓋する面積を有する第５フラップ９に設けられた第６パネル用ミシン目１１Ａを設ける代わりに、第５フラップ用ジッパ１１を設け、その第５フラップ用ジッパ１１を設ける位置を第５フラップ９の外側端辺部にしたこと、
(e)  したがって、図５に示されたところの、第５フラップ９の裏側の面には、箱体用第４フラップ感圧接着剤層３１が塗工されていないこと、
(f)  図５に示されたところの、第５フラップ９の端辺部にはこの端辺部から延在する片又は延在片が存在しないが、図１１に示される箱体用展開板１Ｃにあっては、第４パネル重ね代部５１が第５フラップ９の端辺部から延在形成され、この第４パネル重ね代部５１の裏側の面には、第４パネルの表側面に接着可能な第４パネル重ね代接着剤層が形成されていること、
である。
(3)  前記実施例においては、第１フラップと第３フラップとのそれぞれの形状が、筒帯用展開板を組み立てて得られる筒体の開口を閉鎖した場合にその先端縁辺が付き合うようにほぼ同じ形状に形成されているが、筒体の開口を閉鎖した場合に、第1フラップに重畳するような形状に形成されていてもよく、また、第１フラップと第３フラップとを筒体の開口を閉鎖した場合に、第1フラップと第３フラップの先端縁辺が付き合うがそれぞれの長さが相違するように形成されていてもよい。
【図面の簡単な説明】
【００９７】
【図１】図１は、この発明の実施例１に係る箱体用展開板の表側の面を示す説明図である。
【図２】図２は、前記実施例１に係る箱体用展開板の裏側の面を示す説明図である。
【図３】図３は、前記実施例１に係る箱体用展開板を組み立てて形成した箱体を展開した再生箱体用展開板の表側の面を示す説明図である。
【図４】図４は、前記実施例１に係る箱体用展開板を組み立てて形成した箱体を展開した再生箱体用展開板の裏側の面を示す説明図である。
【図５】図５は、この発明の実施例２に係る箱体用展開板の表側の面を示す説明図である。
【図６】図６は、前記実施例２に係る箱体用展開板の裏側の面を示す説明図である。
【図７】図７は、前記実施例２に係る箱体用展開板を組み立てて形成した箱体を展開した再生箱体用展開板の表側の面を示す説明図である。
【図８】図８は、前記実施例２に係る箱体用展開板を組み立てて形成した箱体を展開した再生箱体用展開板の裏側の面を示す説明図である。
【図９】図９は、前記実施例２に係る箱体用展開板を組み立てて形成した箱体を展開した再生箱体用展開板を組み立てて再生箱体を形成する状態を示す説明図である。
【図１０】図１０は、この発明の変形例を示す箱体用展開板の表側の面を示す説明図である。
【図１１】図１１は、この発明の他の変形例を示す箱体用展開板の表側の面を示す説明図である。
【符号の説明】
【００９８】
１、１Ａ、１Ｂ、１Ｃ・・・展開板、
２・・・第２パネル、
３・・・第４パネル、
４・・・第３パネル、
５・・・第１パネル、
６・・・第５パネル、
７・・・第６パネル、
８・・・第２フラップ、
８Ａ・・・第２フラップ残片、
９・・・第５フラップ、
９Ａ・・・第５フラップ残片、
１０・・・第２フラップ用ジッパ、
１０Ａ・・・第５パネル用ミシン目、
１１・・・第５フラップ用ジッパ、
１１Ａ・・・第６パネル用ミシン目、
１２・・・筒体形成用第２重ね代部、
１３・・・第１フラップ、
１４・・・第４フラップ、
１５・・・第３フラップ、
１６・・・第６フラップ、
１７・・・第１ヘッダ部、
１８・・・第２ヘッダ部、
１９・・・開口部、
２０・・・筒体形成用第１重ね代部、
２１・・・第１パネル用ジッパ、
２２・・・再生箱体用第５パネル感圧接着剤層、
２３・・・再生箱体用第６パネル感圧接着剤層、
２４・・・箱体用第１フラップ感圧接着剤層、
２５・・・箱体用第３フラップ感圧接着剤層、
２６・・・箱体用第４フラップ感圧接着剤層、
２７・・・箱体用第６フラップ感圧接着剤層、
２８・・・箱体用第１パネル感圧接着剤層、
２９・・・箱体用第２フラップ感圧接着剤層、
３０・・・再生箱体用第２フラップ感圧接着剤層、
３１・・・箱体用第４フラップ感圧接着剤層、
３２・・・再生箱体用筒体形成第１重ね代部感圧接着剤層、
３３・・・箱体用第１ヘッダ感圧接着剤層、
３４・・・箱体用第２ヘッダ感圧接着剤層、
３５・・・箱体用筒体形成第２重ね代部感圧接着剤層、
３６・・・再生箱体用筒体形成第２重ね代部感圧接着剤層、
４０・・・第１ヘッダ折り線、
４１・・・第２ヘッダ折り線、
４２・・・裏返り筒体用第１パネル第１感圧接着剤層、
４３・・・裏返り筒体用第１パネル第２感圧接着剤層、
４４・・・第１ヘッダ帯状片、
４５・・・第２ヘッダ帯状片、
５０，５１・・・第４パネル重ね代部、
【図１】
2005297972.tif 000003
【図２】
2005297972.tif 000004
【図３】
2005297972.tif 000005
【図４】
2005297972.tif 000006
【図５】
2005297972.tif 000007
【図６】
2005297972.tif 000008
【図７】
2005297972.tif 000009
【図８】
2005297972.tif 000010
【図９】
2005297972.tif 000011
【図１０】
2005297972.tif 000012
【図１１】
2005297972.tif 000013